(57)【特許請求の範囲】
【請求項１】
自動車に配索されるワイヤハーネスを構成する電線群をテープで二重巻きして集束保護しているもので、
一巻き目のテープを二重巻き区間の両端より所要寸法延長させて巻き付けていると共に、上記二重巻き区間に二巻き目のテープを巻き付けて、該二巻き目のテープの両端より一巻き目のテープを露出させており、
上記一巻き目と二巻き目で用いるテープは両方とも黒色とする一方、これら黒色の一巻き目のテープと二巻き目のテープとはツヤ有りとツヤ無しで相違させて、テープが二重巻きされていることを確認できる構成としているワイヤハーネス。
【発明の詳細な説明】
【０００１】
【発明の属する技術分野】
本発明は、多数の電線群をテープ巻きして集束保護しているワイヤハーネスに関し、二重テープ巻きが必要な場合において、二重巻きされていることを一目で確認できるようにするものである。
【０００２】
【従来の技術】
従来、自動車に配索されるワイヤハーネスＷ／Ｈの電線群はテープ巻きで集束、保護している場合が多いが、重要電線が含まれる場合や、防水を確実にする必要がある場合には、確実に外部干渉材や浸水から電線を保護するために、テープが二重巻されている。
【０００３】
この場合、図３に示すようにワイヤハーネスＷ／Ｈの区間Ａ〜Ｂをテープ１で一巻きした後に、その上から同じ区間Ａ〜Ｂをテープ２で二度巻きすると、外部からは一度目に巻いたテープ１が目視できないため、従来、電線のテープ二重巻き作業施行の検査においては、二度目に巻いたテープ２の一部を剥離して一巻き目のテープ１の存在を確認する方法がとられてきた。
【０００４】
しかしながらこのようなテープ巻き電線保護構造によれば、上記のようにその検査において一巻き目のテープ１の存在を確認するために、テープ１の上から巻いたテープ２を剥がす手間を要し、また、一度巻いたテープ２を剥がして再び巻き直すと、その剥がしたテープ２の粘着力が劣化し、特に剥がしたテープ２の端部がめくれ易くなるという問題が生じている。
【０００５】
上記問題に対し、例えば、実開昭６４−００９３１５号では、図４に示すように、電線を二重テープ巻する区間Ａ〜Ｂの両端をそれぞれ延長した区間Ａ’〜Ｂ’を青色テープ３を用いて一巻きし、更にその上から二重に保護すべき区間Ａ〜Ｂを、青色以外の色のテープ、例えば黒色テープ４を用いて二度巻きしている。このように、一巻き目のテープ３と二巻き目のテープ４の色を相違させておくことにより、二巻き目に巻いたテープ４を剥がすことなくテープが二重巻きされていることを外部から一目で確認できるようにしている。
【０００６】
【発明が解決しようとする課題】
しかしながら、上記のように色を相違させたテープを用いた場合、色違いのテープが隣り合って位置した状態となり、その色の差異が外部から目立ち過ぎる。通常、ワイヤハーネスは黒色テープを巻き付けて目立たないようにしているが、二重テープ巻の確認のためにだけに異なる色のテープを巻き付けると、ワイヤハーネスは外観上が好ましいものではなくなる。
【０００７】
本発明は上記問題に鑑みてなされたもので、外観上で目立つことなく二重テープ巻きを確認できるようにすることを課題としている。
【０００８】
【課題を解決するための手段】
上記課題を解決するため、本発明は、自動車に配索されるワイヤハーネスを構成する電線群をテープで二重巻きして集束保護しているもので、
一巻き目のテープを二重巻き区間の両端より所要寸法延長させて巻き付けていると共に、上記二重巻き区間に二巻き目のテープを巻き付けて、該二巻き目のテープの両端より一巻き目のテープを露出させており、
上記一巻き目と二巻き目で用いるテープは両方とも黒色とする一方、これら黒色の一巻き目のテープと二巻き目のテープとはツヤ無しとツヤ有りで相違させて、テープが二重巻きされていることを確認できる構成としているワイヤハーネスを提供している。
【０００９】
上記のように、露出させる一巻き目のテープと二巻き目のテープの色をいずれも黒色としてワイヤハーネス自体を目立たなくしているが、一巻き目と二巻き目とを外観上で相違が確認できるように、ツヤ無しとツヤ有りの違いを持たせている。これにより、ワイヤハーネス自体および一巻き目と二巻き目のテープの差異を目立たせることなく、露出した一巻き目のテープの存在を外部から検査員が確認することができる。
【００１０】
このように、テープの色はワイヤハーネス結束用として汎用されている黒色テープを用いている。具体的には、ワイヤハーネスＷ／Ｈのテープ二重巻き区間の両側にはみだすようにツヤなし黒色テープをワイヤハーネスＷ／Ｈに巻き付けた後、該一巻き目に巻いたテープの一端が露出するように、テープ二重巻き区間に二巻き目のテープとしてツヤのある黒色テープを巻き始め、二重ハーフラップ巻きして、一巻き目のテープの他端が露出するように、テープ二重巻き区間に巻き付けている。
【００１１】
【発明の実施の形態】
以下、本発明の実施形態を図面を参照して説明する。
図１に示すように、自動車に配索するワイヤハーネスＷ／Ｈには、二重テープ巻き区間に、一巻き目のツヤなし黒色テープ１０と、二巻き目のツヤあり黒色テープ１１とを巻き付けている。これらテープ１０、１１はいずれもビニルテープからなり内面側となる一面に粘着剤が塗布されている粘着テープからなる。
【００１２】
上記一巻き目のツヤなし黒色テープ１０と、二巻き目のツヤあり黒色テープ１１とは二重テープ巻き区間Ａ−Ｂの間では二重ハーフラップ巻している。
上記一巻き目のツヤなし黒色テープ１０は、二重テープ巻き区間Ａ−Ｂの両端よりテープ幅と略等しい幅の区間Ａ’−Ｂ’の区間で巻き付けており、よって、二巻き目のツヤあり黒色テープ１１の両端より、一巻き目のツヤなし黒色テープ１０が露出する構成としている。
【００１３】
詳しくは、図２（Ａ）に示すように、二重テープ巻き区間Ａ〜Ｂの一端Ａより長さＬだけ延長した起点Ａ’から、一巻き目のツヤなし黒色テープ１０を電線群の外周面にハーフラップ巻して図中矢印で示す方向に巻き付けていく。
図２（Ｂ）に示すように、二重テープ巻き区間Ａ〜Ｂの他端Ｂより長さＬだけ延ばした終点Ｂ’で巻き終え、一巻き目のテープ巻き作業を終了する。
【００１４】
次に、図２（Ｃ）に示すように、二巻き目のツヤあり黒色テープ１１を用いて、二重テープ巻き区間Ａ〜Ｂの一端Ａを起点として、一巻き目のテープ１０の外周面にハーフラップ巻していき、テープ１０と１１とにより区間Ａ−Ｂを二重ハーフラップ巻きする。
【００１５】
上記のようにテープ１０、１１を巻き付けることにより、二重テープ巻き区間Ａ−Ｂはテープ１０、１１とが二重巻きされ、その両側に長さＬだけ一巻き目のツヤなしテープ１０が露出した状態としている。
【００１６】
上記テープ巻き構造とすると、ワイヤハーネスＷ／Ｈを二重テープ巻きする保護区間Ａ〜Ｂには二重にテープが巻かれているが、二巻き目の光沢のあるツヤありテープ１１の両端に、一巻き目の光沢のないツヤなしテープ１０が各々長さＬだけ露出した状態となり、外部より両テープ１０、１１の光沢が目視で確認きる。よって、二巻き目のツヤありテープ１１を剥がすことなく、一巻き目に巻いたツヤなしテープ１０の存在を外部から目視により確認することができる。かつ、一巻き目のテープ１０と二巻き目のテープ１１とは同じ黒色であるため、テープの色の差異が目立つという外観上の問題が生じることがない。
【００１８】
【発明の効果】
以上の説明より明らかなように、本発明によれば、テープの二重巻き区間において、二巻き目のテープを剥がすことなく、テープの二重巻き作業がなされているかを目視で確認することができる。
また、一巻き目と二巻き目のテープは同色としているため、自動車に配索した場合において、ワイヤハーネスを目立たせない利点がある。
【００１９】
テープの色を黒色とすると、汎用されているテープであるため、特に、目視確認用としている部分を目立せない利点がある。
【図面の簡単な説明】
【図１】  本発明の電線保護構造の実施形態を示す正面図である。
【図２】  （Ａ）（Ｂ）（Ｃ）は電線保護構造のテープ巻回工程例を示す図面である。
【図３】  従来例を示す図面である。
【図４】  他の従来例を示す図面である。
【符号の説明】
１０  一巻目のツヤなし黒色テープ
１１  二巻目のツヤあり黒色テープ
Ａ〜Ｂ  電線保護区間
Ｌ    一巻目のテープの延在長さ
【図１】
0003731479.tif 000002
【図２】
0003731479.tif 000003
【図３】
0003731479.tif 000004
【図４】
0003731479.tif 000005